(57)【要約】      （修正有） 【課題】足指間の開きを簡易且つ迅速に得られると共に、間隔が開いた足指に対する圧迫感がなく、長時間の着用にも苦痛を伴わず、しかも靴下着用のまま足指間の開きを簡易に休止することができるソックスを提供する。【解決手段】足首から膝上までの下肢を被う脚カバー部１と、脚カバー部１に連続し足指の根本から足首までを被う足カバー部２と、足カバー部２の開口先端部に連続状に配備される指間開き用着脱部３とからなることを特徴とする。【選択図】図１
0003184238.tif 000002
【実用新案登録請求の範囲】
【請求項１】
足首から膝上までの下肢を被う脚カバー部と、脚カバー部に連続し足指の根本から足首までを被う足カバー部と、足カバー部の開口先端部に連続状に配備される指間開き用着脱部とから成ることを特徴とするソックス。
【請求項２】
前記指間開き用着脱部は、伸縮性と柔軟性を有する太径のループ体で、ループ体表面の蛇腹状襞部が足指に対し線接触することを特徴とする請求項１記載のソックス。
【請求項３】
前記指間開き用着脱部は、第２指に嵌める第２指用ループ体と、第４指に嵌める第４指用ループ体とを備えていることを特徴とする請求項１または請求項２記載のソックス。
【考案の詳細な説明】
【技術分野】
【０００１】
この考案は、ソックス、特に膝下或いは膝上までを被うハイソックスと称するソックスに関する。
【背景技術】
【０００２】
図４は、従来のハイソックスを示す説明図である。
このハイソックスは、足首から膝下或いは膝上までの下肢を被う脚カバー部５１と、つま先から足首までを被う足カバー部５２とからなり、足カバー部５２のつま先部５３は５本指に対応した指カバー部５３ａに形成している。
【０００３】
この５本指ソックスでは、フルレングスと称するつま先ありの「先丸靴下」に比較して、５本の足指がそれぞれ指カバー部に別個に包み込まれ、足指間に隙間があることで自由に動く。従って、踏ん張りがきき、かつ動きやすく足指のバラスンが良くなる効果を発揮する。
【特許文献１】特開２００７−３９８１４号公報
【考案の開示】
【考案が解決しようとする課題】
【０００４】
このハイソックスは、着用時の靴下のずれ落ち防止や足のむくみ防止のために下肢に対する圧着締め付け度を大きく設定している。このため、ソックスの着脱が煩瑣である許かりでなく、足指を指カバー部へ嵌める作業に困難を伴う。
【０００５】
着用時、通常は先ず、第１指を親指対応位置に入れた後、第２指を人差し指対応位置に入れる。この後、同様に第５指を入れた後、第３指と第４指を入れ、全体のシワをのばしてから、下肢（踵、足首、ふくらはぎ）へ引き上げるなど、非常に煩瑣な着用作業を強いられている。
【０００６】
殊に、５本指カバー部は各指との隙間が小さく圧着度が大きいため遊びがない。したがって、各指に対する締め付け力が大きく、長い時間、着用していると、各指に対する圧迫感が苦痛となる。
【０００７】
このため、足指間の隙間の開いた状態を休止したい場合は、ソックス自体を脱がなければならず、足指を除いた靴下のみの使用は不可能である。
【０００８】
この考案は、以上のような課題を解消させ、足指間の開きを簡易且つ迅速に得られると共に、間隔が開いた足指に対する圧迫感がなく、長時間の着用にも苦痛を伴わず、しかも靴下着用のまま足指間の開きを簡易に休止することができるソックスを提供する。
【課題を解決するための手段】
【０００９】
この目的を達成させるために、この考案のソックスは次のような構成としている。
ソックスは、足首から膝上までの下肢を被う脚カバー部と、脚カバー部に連続し足指の根本から足首までを被う足カバー部と、足カバー部の開口先端部に連続状に配備される指間開き用着脱部とから成ることを特徴としている。
【考案の効果】
【００１０】
この考案では以上のように、下肢を被う脚カバー部に連続し、足指の根本から足首までを被う足カバー部の開口先端部に一体連続状に指間開き用着脱部を配備することとしたから、カバー部の締め付け力の如何に関わらず、カバー部の着脱が迅速且つ容易である。
【００１１】
足カバー部の開口先端から足指が外方へ突出し、且つこの前方へ突出する足指の上方に指間開き用着脱部（ループ体）が対応位置するから、ループ体を対応する指足に嵌めるだけで５本の指間に隙間を開くことができる。
【００１２】
殊に、指間開き用着脱部は伸縮性と柔軟性を有する太径のループ体で、ループ体表面の蛇腹状襞部が足指に対し線接触するから、着脱し易い許かりでなく、長時間使用によっても指に対する圧迫感、締め付け感がなく負担のない快適な装着が得られる。
【００１３】
更に、指間開き用着脱部は単にループ体を指に嵌脱するだけで、指間の開きと休止を実行し得るから、靴下を着用したまま、指間の開きの中止が実行できるなど考案目的を達成した優れた効果を有する。
【考案を実施するための最良の形態】
【００１４】
以下、図面に基づき本考案に係るソックス（ハイソックス）の具体的な実施の形態を説明する。
図１は、ソックスを示す斜視図である。
ソックスは、足首から膝上までの下肢を被う脚カバー部１と、足指の根本から足首までを被う足カバー部２と、足カバー部２の開口先端部２１一体連続状に配備される指間開き用着脱部３とから成る。
【００１５】
脚カバー部１と足カバー部２は、ナイロン、ポリウレタン、ポリエステルなどの混紡素材を、例えば横編機により立体的に下肢の形に編成したハイソックスである。
【００１６】
前記脚カバー部１は、実施の形態では所謂、着圧ソックスで、足首対応部位１１の皮膚圧迫圧を最大の１００パーセント（例えば、着圧値が２５ｈｐａ）とし、ふくらはぎ対応部位１２を７０パーセント（例えば、１８ｈｐａ）、ふともも対応部位１３を４０パーセント（例えば１２ｈｐａ）に設定している。
【００１７】
つまり、足首からふくらはぎへと上にいくにしたがい皮膚に対する圧迫圧を段階的に低くなるように設定し、筋肉を圧迫し血液を上に押し上げ、下肢の疲れやムクミの軽減を企図している。
【００１８】
この考案の特徴は、足カバー部２の開口先端部２１に指間開き用着脱部３を配備した点にある。
指間開き用着脱部３は、伸縮性と柔軟性を有する太径の紐状体の両基端を、足カバー部２の開口先端部２１に一体連続状に止着してループ体３１としたものである。
【００１９】
このループ体３１は、ゴムを含むアクリル、ポリエステルなどの混紡素材を蛇腹縫いしたもので、蛇腹表面の各襞目３２が伸縮する。伸張するとき、襞目３２が指肌に優しく点接触し、指間の開きを柔軟に保持する。
【００２０】
上記ループ体３１は第２指の上方に対応位置する第２指用ループ体３１ａと、第４指の上方に対応位置する第４指用ループ体３１ｂとから成る。
【００２１】
このような構成を有するソックスでは、次のように着脱する。
図１は、靴下を着用し、５本の足指が足カバー部２の開口先端部２１より前方へ突出している状態を示す。この状態において、第２指用ループ体３１ａが第２指の上方に対応し、且つ第４指用ループ体３１ｂは第４指の上方に対応位置している。
【００２２】
図２は、第４指用ループ体３１ｂを第４指に嵌め、且つ第２指用ループ体３１ａを手指で把持した状態を示す。この第４指用ループ体３１ｂを第４指に嵌めた状態において、ループ体３１ｂの径太さにより第５指と第４指の間、及び第４指と第３指の指間が開かれる。
【００２３】
ループ体３１は、伸縮性で柔軟性を有し、且つ蛇腹状表面の襞（ひだめ）部３２が足指に対し線接触する。したがって足指に対する締め付け感、圧迫感がなく、長時間負担なく着用できる。
【００２４】
図３は、第２指用ループ体３１ａを第２指に嵌め入れることで、第１指と第２指との間、及び第２指と第３指との指間に隙間を開いている。かくして、５本の足指の全ての指間が柔軟に開かれる。
【図面の簡単な説明】
【００２５】
【図１】実施の形態のソックスを示す斜視図である。
【図２】第４指用ループ体を第４指に嵌めた状態を示す斜視図である。
【図３】全ての指間を開いた状態を示す斜視図である。
【図４】従来のハイソックスを示す斜視図である。
【符号の説明】
【００２６】
１      脚カバー部
２      足カバー部
３      指間開き用着脱部
１１    足首対応部位
１２    ふらくはぎ対応部位
１３    太もも対応部位
２１    開口先端部
３１    ループ体
３１ａ  第２指用ループ体
３１ｂ  第４指用ループ体
３２    襞目部
【図１】
0003184238.tif 000003
【図２】
0003184238.tif 000004
【図３】
0003184238.tif 000005
【図４】
0003184238.tif 000006